(57)【要約】【課題】補高スペーサの取り付けおよび取り外し作業を容易に行うことが可能な便座装置を提供する。【解決手段】便座１０と、前記便座１０を回動自在に支持するとともに便器本体１に対して位置決めされる便座ボックス２０と、前記便座ボックス２０に対して位置決めされる補高スペーサ３０と、を備えている。このような構成によれば、補高スペーサ３０を便器本体１に位置決めする作業、およびその位置決めを解除する作業をしなくても良いから、補高スペーサ３０の取り付けおよび取り外し作業を容易に行うことができる。【選択図】図３
2015181882.tif 000002
【特許請求の範囲】
【請求項１】
便座と、
前記便座を回動自在に支持するとともに便器本体に対して位置決めされる便座ボックスと、
前記便座ボックスに対して位置決めされる補高スペーサと、
を備えた便座装置。
【請求項２】
前記便座ボックスおよび前記補高スペーサが、位置決め構造を備えている請求項１に記載の便座装置。
【請求項３】
前記位置決め構造が、互いに凹凸嵌合可能な凸部および凹部を有している請求項２に記載の便座装置。
【請求項４】
前記便座ボックスが、前記便器本体の上面に固定されるベースプレートを有し、
前記補高スペーサが、前記ベースプレートの上面に設置される載置部を備え、
前記位置決め構造が、前記ベースプレートの上面と前記載置部の下面とに設けられて、前記補高スペーサの設置に伴って互いに凹凸嵌合するものである請求項３に記載の便座装置。
【請求項５】
前記便座ボックスのうち前記便座を支持する支持部は、前記ベースプレートに対して昇降可能に備えられている請求項４に記載の便座装置。
【請求項６】
前記位置決め構造が、前記補高スペーサの上面と前記便座ボックスの下面とに設けられて、前記便座ボックスの載置に伴って互いに凹凸嵌合するものである請求項３に記載の便座装置。
【発明の詳細な説明】
【技術分野】
【０００１】
本発明は、便座装置に関する。
【背景技術】
【０００２】
従来、立ち座りの負担を軽減するべく、通常の便器に補高スペーサを取り付けて、補高便座に改造する技術が知られている。
例えば、下記特許文献１には、便器本体の上面側に補高スペーサを位置決めし、補高スペーサの上面側に便座を位置決めする構成が記載されている。
【先行技術文献】
【特許文献】
【０００３】
【特許文献１】特開２００２−３４５６８７号公報
【発明の概要】
【発明が解決しようとする課題】
【０００４】
しかしながら、上記のような構成では、補高スペーサを取り付ける場合には、補高スペーサを便器本体に位置決めする作業と、便座を補高スペーサに位置決めする作業とが必要であり、また補高スペーサを取り外す場合には、便座と補高スペーサとの位置決めを解除する作業と、補高スペーサと便器本体との位置決めを解除する作業とが必要である。このように、補高スペーサの取り付けおよび取り外し作業のいずれにおいても、便器本体に対する位置決めまたはその解除作業が必要であるから、作業が容易ではないという問題があった。
【０００５】
本発明は上記のような事情に基づいて完成されたものであって、補高スペーサの取り付けおよび取り外し作業を容易に行うことが可能な便座装置を提供することを目的とする。
【課題を解決するための手段】
【０００６】
本発明の便座装置は、便座と、前記便座を回動自在に支持するとともに便器本体に対して位置決めされる便座ボックスと、前記便座ボックスに対して位置決めされる補高スペーサと、を備えたものである。
【発明の効果】
【０００７】
本発明によれば、補高スペーサを便器本体に位置決めする作業、およびその位置決めを解除する作業をしなくても良いから、補高スペーサの取り付けおよび取り外し作業を容易に行うことができる。
【図面の簡単な説明】
【０００８】
【図１】実施例１における便座装置および便器本体を示す斜視図
【図２】位置決め構造を示す斜視図
【図３】便座装置が便器本体に載置された状態を示す側面図および補高スペーサが便座ボックスに対して位置決めされた状態を示す一部拡大側断面図
【図４】実施例２における便座装置を示す斜視図
【図５】実施例３における便座装置を示す斜視図
【図６】他の実施例（１）における便座装置および便器本体を示す斜視図
【図７】他の実施例（２）における便座装置および便器本体を示す斜視図
【図８】他の実施例（３）における位置決め構造を示す斜視図
【発明を実施するための形態】
【０００９】
本発明の便座装置は、前記便座ボックスおよび前記補高スペーサが、位置決め構造を備えているものとしてもよい。このような構成によれば、便座ボックスと補高スペーサとを位置決めするために、別途位置決め用の部材を用意しなくてもよい。
【００１０】
また、本発明の便座装置は、前記位置決め構造が、互いに凹凸嵌合可能な凸部および凹部を有しているものとしてもよい。このような構成によれば、凸部と凹部とを嵌め合わせるだけで位置決めできるから、例えば、ボルト締め等により位置決めする場合に比して、位置決めおよびその解除作業を容易に行うことができる。
【００１１】
また、本発明の便座装置は、前記便座ボックスが、前記便器本体の上面に固定されるベースプレートを有し、前記補高スペーサが、前記ベースプレートの上面に設置される載置部を備え、前記位置決め構造が、前記ベースプレートの上面と前記載置部の下面とに設けられて、前記補高スペーサの設置に伴って互いに凹凸嵌合するものとしてもよい。
このような構成によれば、補高スペーサの設置に伴って補高スペーサの位置決めがなされるから、便座ボックスに対して補高スペーサを容易に位置決めすることができる。
【００１２】
また、本発明の便座装置は、前記便座ボックスのうち前記便座を支持する支持部は、前記ベースプレートに対して昇降可能に備えられているものとしてもよい。このような構成によれば、支持部を上昇させることにより、ベースプレートと支持部との間に、補高スペーサを取り付けまたは取り外し作業が可能なスペースが形成されるから、便座ボックスを便器本体から取り外すことなく、補高スペーサの取り付けまたは取り外しを行うことができる。
【００１３】
また、本発明の便座装置は、前記位置決め構造が、前記補高スペーサの上面と前記便座ボックスの下面とに設けられて、前記便座ボックスの載置に伴って互いに凹凸嵌合するものとしてもよい。このような構成によれば、便座ボックスの載置に伴って補高スペーサの位置決めがなされるから、便座ボックスに対して補高スペーサを容易に位置決めすることができる。
【００１４】
＜実施例１＞
以下、本発明を具体化した実施例１について、図１〜図３を参照しつつ詳細に説明する。
本実施例における便座装置Ｓは、便器本体１の上面に載置されるものであり、便座１０と、便座１０を回動自在に支持する便座ボックス２０と、便座ボックス２０に対して位置決めされる補高スペーサ３０と、を備えている。
【００１５】
便座ボックス２０は、便器本体１の上端部に配置されるベースプレート２１を備えている。便座ボックス２０は、ベースプレート２１がボルト締め等により便器本体１に固定されることにより、便器本体１に対して位置決めされて固定される。
【００１６】
ベースプレート２１には、図示しない便器洗浄装置、部屋暖房装置、音楽再生装置及び昇降装置２２等の各種装置が固定されている（図３参照）。ベースプレート２１は、図２に示すように、平板状をなすプレート部２１Ｐと、プレート部２１Ｐの上面側に立設された壁部２１Ｗとを備えている。なお、ベースプレート２１の下側には、便器本体１の後部に配置される便器洗浄装置等を隠蔽するべく化粧板２３が取り付けられる（図３参照）。
【００１７】
プレート部２１Ｐの前縁には、図１に示すように、便器本体１と補高スペーサ３０との間に挟み込まれる部分（以下、挟持部２４と称する）が設けられている。挟持部２４は、平面視方形状をなして前方に突出している。挟持部２４は、プレート部２１Ｐの幅方向の略中央部に一対が設けられている。挟持部２４の上面には、補高スペーサ３０との位置決め構造４０を構成するボックス側位置決め部４０Ｂが設けられている。このボックス側位置決め部４０Ｂについては、後ほど詳しく説明する。
【００１８】
便座ボックス２０は、ベースプレート２１およびベースプレート２１に固定された各種装置等を覆うカバー２５を備えている。カバー２５は、ベースプレート２１に固定された昇降装置２２によって、上下方向に昇降可能とされている。カバー２５は、最も下降した位置（通常の便器装置の使用位置）において、ベースプレート２１およびベースプレート２１に固定された各種装置を内部に収納して隠蔽する。なお、カバー２５は、ベースプレート２１の壁部２１Ｗのうちプレート部２１Ｐの左右両側縁および後縁に沿って立つ部分の外面に沿って昇降可能とされている。
【００１９】
カバー２５の前面は、便蓋２７及び便座１０を支持する支持部２８が上方に突出して設けられた支持面２６とされている。支持面２６は、前方に向かって下がる傾斜をなしている。便蓋２７及び便座１０は、支持部２８に回動自在に軸支されている。支持部２８、便蓋２７および便座１０は、カバー２５の昇降に伴って上下方向に昇降する。
【００２０】
補高スペーサ３０は、所定の厚さ寸法を有し、全体として略長円形をなすとともにその略中央部に開口部（以下、スペーサ開口部３１と称する）が形成されている。スペーサ開口部３１には、便器本体１の開口部（以下、便器開口部２と称する）に嵌合可能な嵌合リブ３２が設けられている。
【００２１】
嵌合リブ３２は、スペーサ開口部３１の周縁に沿って下側（便器本体１側）に突設されている。嵌合リブ３２は、スペーサ開口部３１の全周にわたり連続して設けられ、便器開口部２の内側に嵌合される。これにより、補高スペーサ３０は、便器本体１に対して水平方向の位置が決められる。
【００２２】
補高スペーサ３０は、ベースプレート２１の挟持部２４の上側に載置される載置部３３を有している（図１参照）。載置部３３は、補高スペーサ３０の後端部の左右方向全体（全幅）に形成され、一対の挟持部２４の上側に配される。載置部３３は、補高スペーサ３０の下面側を、挟持部２４の厚さ寸法と同等の寸法だけ窪ませることによってその上側に形成された部分であり、補高スペーサ３０の他の部分よりも板厚寸法（上下方向の寸法）が小さくされている。
【００２３】
補高スペーサ３０が便器本体１の上面に設置されると、図３に示すように、補高スペーサ３０の窪んだ部分（載置部３３の下側の部分）にベースプレート２１の挟持部２４が嵌合する。載置部３３には、便座ボックス２０に対する補高スペーサ３０の位置決め構造４０を構成するスペーサ側位置決め部４０Ｓが設けられている。スペーサ側位置決め部４０Ｓについては、ボックス側位置決め部４０Ｂとともに次に詳しく説明する。
【００２４】
さて、便座ボックス２０および補高スペーサ３０には、便座ボックス２０に対して補高スペーサ３０を位置決めする位置決め構造４０が設けられている。位置決め構造４０は、便座ボックス２０および補高スペーサ３０のうち上下方向に対向する部分に設けられている。ボックス側位置決め部４０Ｂは挟持部２４の上面に設けられ、スペーサ側位置決め部４０Ｓは載置部３３の下面に設けられている。ボックス側位置決め部４０Ｂとスペーサ側位置決め部４０Ｓとは、互いに凹凸嵌合可能な凸部および凹部を有している。なお、以下では、ボックス側位置決め部４０Ｂに設けられた凸部をボックス側凸部４１Ｂ、ボックス側位置決め部４０Ｂに設けられた凹部をボックス側凹部４２Ｂ、スペーサ側位置決め部４０Ｓに設けられた凸部をスペーサ側凸部４１Ｓ、スペーサ側位置決め部４０Ｓに設けられた凹部をスペーサ側凹部４２Ｓ、と称する。
【００２５】
ボックス側位置決め部４０Ｂは、複数のボックス側凸部４１Ｂと複数のボックス側凹部４２Ｂとを備えている。ボックス側凸部４１Ｂは、側面視、先端の尖った山形状をなし、左右方向に延設されている。すべてのボックス側凸部４１Ｂは、挟持部２４の全幅にわたる長さ寸法を有し、また互いに同形状をなすものとされている。
【００２６】
各ボックス側位置決め部４０Ｂにおいて複数のボックス側凸部４１Ｂは、前後方向に並列配置され、挟持部２４の前後方向の全体に形成されている。各ボックス側凸部４１Ｂの前後両面は、先端に向かって傾斜する傾斜面４３とされている。
【００２７】
前後方向に隣り合うボックス側凸部４１Ｂの間には、ボックス側凹部４２Ｂが形成されている。ボックス側凹部４２Ｂは、ボックス側凸部４１Ｂの前後の傾斜面４３により形成された溝形状をなし、下端に向けて前後方向の間隔が狭まる略三角形断面とされている。
【００２８】
スペーサ側位置決め部４０Ｓは、載置部３３のうち挟持部２４に対向する部分に一対が形成されている（図２参照）。スペーサ側位置決め部４０Ｓは、ボックス側位置決め部４０Ｂを上下方向に反転させた形態をなし、ボックス側位置決め部４０Ｂ（挟持部２４）と略同形の方形状に形成されている。各スペーサ側位置決め部４０Ｓは、複数のスペーサ側凸部４１Ｓと複数のスペーサ側凹部４２Ｓとを備えている。
【００２９】
スペーサ側凸部４１Ｓは、側面視、先端の尖った山形状をなして、対応する挟持部２４（ボックス側位置決め部４０Ｂ）の幅寸法と同等の長さ寸法を有して延設されている。また、複数のスペーサ側凸部４１Ｓは、載置部３３の前後方向の略全体に並列配置されている。複数のスペーサ側凸部４１Ｓは互いに同形状をなすものであり、各スペーサ側凸部４１Ｓの前後両面は、先端に向かって傾斜する傾斜面４３とされている。
【００３０】
前後方向に隣り合うスペーサ側凸部４１Ｓの間には、スペーサ側凹部４２Ｓが形成されている。スペーサ側凹部４２Ｓは、スペーサ側凸部４１Ｓの前後の傾斜面４３により形成された溝形状をなし、上端に向けて前後方向の間隔が狭まる略三角形断面とされている。
【００３１】
次に、補高スペーサ３０の取り付け作業の一例について説明する。
まず、昇降装置２２を作動させて便座ボックス２０のカバー２５を上昇させる。すると、カバー２５とベースプレート２１との間に、補高スペーサ３０の取り付け作業が可能なスペースが形成される。
【００３２】
次いで、補高スペーサ３０を便器本体１の上側に設置する。補高スペーサ３０を設置すると、補高スペーサ３０の載置部３３が便座ボックス２０の挟持部２４の上側に載置され、スペーサ側位置決め部４０Ｓとボックス側位置決め部４０Ｂとが互いに凹凸嵌合する（図３参照）。すなわち、スペーサ側凸部４１Ｓがボックス側凹部４２Ｂに嵌合し、スペーサ側凹部４２Ｓにボックス側凸部４１Ｂが嵌合する。このとき、スペーサ側凸部４１Ｓの傾斜面４３とボックス側凸部４１Ｂの傾斜面４３とが前後方向にほぼ隙間なく当接した状態になる。これにより、補高スペーサ３０は、前後方向の移動が制限され、便座ボックス２０に対して水平方向（前後方向）の位置が決めされる。
【００３３】
その後、昇降装置２２を作動させて便座ボックス２０のカバー２５を下降させる。カバー２５の下端が補高スペーサ３０の上面にほぼ隙間なく近接する位置に配されることにより、補高スペーサ３０は上方に外れることが防止される。
以上により、補高スペーサ３０の取り付け作業が完了する。
【００３４】
次に、補高スペーサ３０の取り外し作業の一例について説明する。
まず、昇降装置２２を作動させて便座ボックス２０のカバー２５を上昇させる。すると、補高スペーサ３０とカバー２５との間に、補高スペーサ３０の取り外し作業が可能なスペースが形成される。
【００３５】
次いで、補高スペーサ３０を便器本体１から取り外す。補高スペーサ３０を上方に持ち上げて、スペーサ側位置決め部４０Ｓとボックス側位置決め部４０Ｂとの嵌合を解除し、補高スペーサ３０を前方に引き寄せて、補高スペーサ３０を取り外す。
【００３６】
その後、昇降装置２２を作動させて便座ボックス２０のカバー２５を最下端まで下降させる。すると、カバー２５の下端が便器本体１の上面にほぼ隙間なく近接して配される。
以上により、補高スペーサ３０の取り外し作業が完了する。
【００３７】
次に、上記のように構成された実施例の作用および効果について説明する。
本実施例の便座装置Ｓは、便座１０と、便座１０を回動自在に支持するとともに便器本体１に対して位置決めされる便座ボックス２０と、便座ボックス２０に対して位置決めされる補高スペーサ３０と、を備えている。この構成によれば、補高スペーサ３０を便器本体１に位置決めする作業、およびその位置決めを解除する作業をしなくても良いから、補高スペーサ３０の取り付けおよび取り外し作業を容易に行うことができる。
【００３８】
また、便座ボックス２０および補高スペーサ３０が、位置決め構造４０を備えている。この構成によれば、便座ボックス２０と補高スペーサ３０とを位置決めするために、別途位置決め用の部材を用意しなくてもよい。
【００３９】
また、位置決め構造４０は、互いに凹凸嵌合可能なボックス側凸部４１Ｂ、ボックス側凹部４２Ｂ、スペーサ側凸部４１Ｓおよびスペーサ側凹部４２Ｓを有している。この構成によれば、互いの凸部４１Ｂ，４１Ｓと凹部４２Ｂ，４２Ｓとを嵌め合わせるだけで位置決めできるから、例えば、ボルト締め等により位置決めする場合に比して、位置決め作業を容易に行うことができる。
【００４０】
また、便座ボックス２０が、便器本体１の上面に固定されるベースプレート２１を有し、補高スペーサ３０が、ベースプレート２１の上面に設置される載置部３３を備え、ベースプレート２１と載置部３３とに、補高スペーサ３０の設置に伴って互いに凹凸嵌合可能な位置決め構造４０が設けられている。この構成によれば、補高スペーサ３０の設置に伴って補高スペーサ３０の位置決めがなされるから、便座ボックス２０に対して補高スペーサ３０を容易に位置決めすることができる。
【００４１】
また、便座ボックス２０のうち便座１０を支持する支持部２８は、ベースプレート２１に対して昇降可能に備えられている。この構成によれば、支持部２８を上昇させることにより、ベースプレート２１と支持部２８との間に、補高スペーサ３０の取り付けおよび取り外し作業が可能なスペースが形成されるから、便座ボックス２０を便器本体１から取り外すことなく、便座ボックス２０に対して補高スペーサ３０を取り付けまたは取り外すことができる。
【００４２】
＜実施例２＞
次に、本発明を具体化した実施例２に係る便座装置５０を図４によって説明する。
本実施例の便座装置５０は、位置決め構造５１を、便座ボックス２０の載置に伴って互いに凹凸嵌合する凸部５２と凹部５３とを有するものとした点で、実施例１とは相違する。なお、実施例１と同様の構成には同一符号を付して重複する説明を省略する。
【００４３】
本実施例に係る便座装置５０は、実施例１と同様に、便座１０と、便座１０を回動自在に支持するとともに便器本体１に対して位置決めされる便座ボックス２０と、便座ボックス２０に対して位置決めされる補高スペーサ３０と、を備え、便座ボックス２０および補高スペーサ３０は、位置決め構造５１を備ええいる。
【００４４】
位置決め構造５１は、互いに凹凸嵌合可能な凸部５２および凹部５３を有している。
凸部５２は、補高スペーサ３０の上面に突設されている。凸部５２は、水平方向の断面形状が略円形をなす筒状または柱状とされている。凸部５２は、補高スペーサ３０の後端部（スペーサ開口部３１よりも後側の部分であって便座ボックス２０が上側に載置される部分）に設けられている。凸部５２は、補高スペーサ３０の幅方向における両端部に一対が設けられている。
【００４５】
凹部５３は、便座ボックス２０の下面を構成するベースプレート２１に設けられている。凹部５３は、ベースプレート２１を上下方向に貫通する貫通孔である。凹部５３は、凸部５２の外周側に嵌合可能な断面円形状をなしている。凹部５３は、凸部５２に対応する位置に一対が設けられている。
【００４６】
ベースプレート２１の上面には、各凹部５３の周壁を構成する部分（以下、凹部構成壁５４と称する）が円筒形状をなして上方に突出している。凹部構成壁５４は、一対の凹部５３のそれぞれに設けられている。凸部５２と凹部５３とが嵌合した状態では、凸部５２は凹部５３を上方に貫通してその先端部が凹部構成壁５４から上方に突出した状態になる。
【００４７】
本実施例における便座装置５０において補高スペーサ３０を取り付ける場合には、まず、便座ボックス２０を便器本体１から取り外した後、補高スペーサ３０を便器本体１の上面に載置する。このとき、スペーサ開口部３１の嵌合リブ３２を便器開口部２に嵌合させる。その後、便座ボックス２０を便器本体１および補高スペーサ３０の上面側に載置する。このとき、凸部５２と凹部５３とが嵌合するように便座ボックス２０の位置を合わせるようにする。そして、凸部５２と凹部５３とを嵌合させて便座ボックス２０を載置した後、便座ボックス２０を便器本体１に対して固定する。以上により、補高スペーサ３０は、便座ボックス２０に対して位置決めされ、その取り付け作業が完了する。
【００４８】
また、本実施例における便座装置５０において補高スペーサ３０を取り外す場合には、便座ボックス２０を便器本体１から取り外した後、補高スペーサ３０を便器本体１から取り外す。そして、便座ボックス２０を便器本体１の上面に載置して固定することにより、補高スペーサ３０の取り外し作業が完了する。
【００４９】
以上のように本実施例においては、位置決め構造５１が、補高スペーサ３０と便座ボックス２０とに設けられて、便座ボックス２０の載置に伴って互いに凹凸嵌合するものであるから、便座ボックス２０を便器本体１に載置して固定することにより補高スペーサ３０が位置決めされ、また便座ボックス２０を便器本体１から取り外すことにより補高スペーサ３０の位置決めが解除されるので、補高スペーサ３０の位置決めおよびその解除作業を容易に行うことができる。
【００５０】
＜実施例３＞
次に、本発明を具体化した実施例３に係る便座装置６０を図５によって説明する。
本実施例の便座装置６０は、便座ボックス２０の載置に伴って互いに凹凸嵌合する位置決め構造６１を固定部材６２によって固定するものとした点で、実施例２とは相違する。なお、実施例２と同様の構成には同一符号を付して重複する説明を省略する。
【００５１】
本実施例に係る便座装置６０は、実施例２と同様に、便座１０と、便座１０を回動自在に支持するとともに便器本体１に対して位置決めされる便座ボックス２０と、便座ボックス２０に対して位置決めされる補高スペーサ３０と、を備え、便座ボックス２０および補高スペーサ３０が位置決め構造６１を有し、位置決め構造６１は、互いに凹凸嵌合可能な凸部６３および凹部６４を有している。
【００５２】
凸部６３は、便座ボックス２０の下面を構成するベースプレート２１の下側に突設されている。凸部６３は、左右方向の寸法が前後方向の寸法よりも小さい板状をなし、その突出端面は円弧形状をなしている。
【００５３】
凸部６３は、便座ボックス２０の前端部（補高スペーサ３０の上側に載置される部分）に設けられている。凸部６３は、便座ボックス２０の幅方向における両端部に一対が設けられている。各凸部６３には、固定部材６２を構成するボルト６２Ｂを挿通可能な挿通孔（以下、ボックス側挿通孔６５と称する）が左右方向に貫通形成されている。ボックス側挿通孔６５は円形状をなしている。
【００５４】
凹部６４は、補高スペーサ３０の上面に形成されている。凹部６４は、上方から凸部６３が嵌合可能な長方形状をなして上側に開口している。凹部６４は、補高スペーサ３０の上面に形成された凹みもしくは補高スペーサ３０を上下方向に貫通する貫通孔である。
【００５５】
凹部６４の側面には、ボルト６２Ｂを挿通可能な挿通孔（以下、スペーサ側挿通孔６６と称する）が、補高スペーサ３０の側面３０Ｓと凹部６４との間を左右方向に貫通して設けられている。スペーサ側挿通孔６６は円形状をなしている。
【００５６】
凸部６３と凹部６４とが嵌合した状態では、ボックス側挿通孔６５とスペーサ側挿通孔６６とが左右方向（軸方向）に連通し、補高スペーサ３０の側面３０Ｓに開口したスペーサ側挿通孔６６にボルト６２Ｂを挿通してボックス側挿通孔６５に到達させることが可能とされている。
【００５７】
また、補高スペーサ３０には、固定部材６２を構成するナット６２Ｎが収容されるナット収容部６８が設けられている。ナット収容部６８は、凹部６４の内側（補高スペーサ３０の側面３０Ｓとは反対側）に隣接して設けられている。ナット収容部６８は、補高スペーサ３０の上面側に開口した有底の凹部であり、ナット収容部６８に収容されたナット６２Ｎは、ボルト６２Ｂの軸線上（スペーサ側挿通孔６６およびボックス側挿通孔６５の軸線上）に配置される。ナット収容部６８と凹部６４との間にはボルト６２Ｂを挿通可能な挿通孔（図示せず）が、ボックス側挿通孔６５およびスペーサ側挿通孔６６に連通するように貫通形成されている。
【００５８】
本実施例における便座装置６０において補高スペーサ３０を取り付ける場合には、実施例２と同様、便座ボックス２０を便器本体１から取り外し、補高スペーサ３０を便器本体１の上面に載置した後、便座ボックス２０を便器本体１および補高スペーサ３０の上面側に載置する。このとき、実施例２と同様に、凸部６３と凹部６４とが嵌合するように便座ボックス２０の位置合わせを行う。そして、凸部６３と凹部６４とを嵌合させて便座ボックス２０を載置した後、補高スペーサ３０の側面３０Ｓからスペーサ側挿通孔６６にボルト６２Ｂを挿通し、凸部６３に形成されたボックス側挿通孔６５を貫通させてナット６２Ｎに締め付る。これにより、補高スペーサ３０と便座ボックス２０とが強固に固定される。その後、便座ボックス２０を便器本体１に対して固定すると、補高スペーサ３０の取り付け作業が完了する。
【００５９】
また、本実施例における便座装置６０において補高スペーサ３０を取り外す場合には、まず、ボルト６２Ｂを緩めて取り外し、便座ボックス２０を便器本体１から取り外した後、補高スペーサ３０を便器本体１から取り外す。そして、便座ボックス２０を便器本体１の上面に載置して固定すると、補高スペーサ３０の取り外し作業が完了する。
【００６０】
以上のように本実施例においては、便座ボックス２０の載置に伴って互いに凹凸嵌合する位置決め構造６１を、さらに固定部材６２によって固定する構成としたから、補高スペーサ３０のがたつきを防ぐことができる。
【００６１】
＜他の実施例＞
本発明は上記記述及び図面によって説明した実施例に限定されるものではなく、例えば次のような実施例も本発明の技術的範囲に含まれる。
（１）上記実施例１では、位置決め構造４０が、互いに凹凸嵌合可能な凸部および凹部を有するものとしているが、これに限らず、位置決め構造が、そのような凸部および凹部を有さないものとしてもよい。このような場合には、例えば、図６に示すように、位置決め構造７０として、便座ボックス２０および補高スペーサ３０にかけて上下方向に貫通する取付孔７１を形成し、この取付孔７１に取付ボルト７２を上方から挿通させて、補高スペーサ３０の下面側に備えた取付ナット７３に締め付けるものとしてもよい。なお、便座ボックス２０に形成された取付孔７１の上面開口にキャップ７４を装着することにより、取付ボルト７２を隠蔽するものとしてもよい。
（２）上記実施例１では、便座ボックス２０および補高スペーサ３０が位置決め構造４０を備えているが、これに限らず、便座ボックスおよび補高スペーサに位置決め構造を設けることなく、固定治具等により位置決めするものとしてもよい。このような場合には、例えば、図７に示すように、略コの字形状をなす固定治具８０を、便座ボックス２０と補高スペーサ３０とを上下方向に挟むようにして組み付け、固定治具８０に形成された上下方向に貫通するボルト挿通孔８１にボルト８２を挿通して締め付けることにより、その先端が補高スペーサ３０の下面を押圧し、便座ボックス２０と補高スペーサ３０とを上下方向に強く押し付けるようにして位置決めする構成としてもよい。
（３）上記実施例１では、位置決め構造４０を構成するボックス側位置決め部４０Ｂは、挟持部２４の上面に設けられ、スペーサ側位置決め部４０Ｓは、載置部３３の下面に設けられているが、これに限らず、例えば、図８に示すように、補高スペーサ３０の後端部の下面側に、ベースプレート２１の挟持部２４が嵌合可能な嵌合凹部９０を凹み形成し、位置決め構造９１を構成するボックス側位置決め部９２を挟持部２４の両側面に設け、スペーサ側位置決め部９３を嵌合凹部９０の両側面に設けるものとしてもよい。この構成であっても、実施例１と同様に、補高スペーサ３０の設置に伴って位置決め構造９１が凹凸嵌合するから、便座ボックス２０に対して補高スペーサ３０を容易に位置決めすることができる。
（４）上記実施例２では、位置決め構造５１として、補高スペーサ３０に凸部５２を設け、便座ボックス２０に凹部５３を設けているが、これとは反対に、補高スペーサに凹部を設け、便座ボックスに凸部を設けてもよい。なお、このような場合には、補高スペーサを取り付けない状態に対応するべく、便器本体に、凸部を逃がす部分を設ける必要がある。
（５）上記実施例３では、固定部材６２は、ナット収容部６８に収容されたナット６２Ｎにボルト６２Ｂが締め付けられるものとしているが、これに限らず、例えば固定部材は、ボックス側挿通孔の周面にねじ山を形成してこのボックス側挿通孔にボルトが締め付けられるものとしてもよい。
【符号の説明】
【００６２】
Ｓ，５０，６０…便座装置
１…便器本体
１０…便座
２０…便座ボックス
２１…ベースプレート
２８…支持部
３０…補高スペーサ
３３…載置部
４０，５１，６１，７０，９１…位置決め構造
４１Ｂ…ボックス側凸部（凸部）
４１Ｓ…スペーサ側凸部（凸部）
４２Ｂ…ボックス側凹部（凹部）
４２Ｓ…スペーサ側凹部（凹部）
５２，６３…凸部
５３，６４…凹部
【図１】
2015181882.tif 000003
【図２】
2015181882.tif 000004
【図３】
2015181882.tif 000005
【図４】
2015181882.tif 000006
【図５】
2015181882.tif 000007
【図６】
2015181882.tif 000008
【図７】
2015181882.tif 000009
【図８】
2015181882.tif 000010